(57)【要約】【課題】筐体部の内側に異物が侵入することを抑制する。【解決手段】媒体を支持し、移動方向Ａに移動可能な媒体支持部４と、媒体に画像を印刷可能な印刷部６と、印刷部６を収容し、移動方向Ａにおける一方側に媒体支持部４が進退可能な開口部３９を有する筐体部３２と、開口部３９を覆うことが可能なカバー部３１と、を備え、カバー部３１は、媒体支持部４が開口部３９の内部に進入したときに該開口部３９を覆うことを特徴とする印刷装置１。このような構成とすることにより、筐体部３２の内側に異物が侵入することを抑制することが可能になる。【選択図】図１
2017104997.tif 000002
【特許請求の範囲】
【請求項１】
媒体を支持し、移動方向に移動可能な媒体支持部と、
媒体に画像を印刷可能な印刷部と、
前記印刷部を収容し、前記移動方向における一方側に前記媒体支持部が進退可能な開口部を有する筐体部と、
前記開口部を覆うことが可能なカバー部と、を備え、
前記カバー部は、前記媒体支持部が前記開口部の内部に進入したときに該開口部を覆うことを特徴とする印刷装置。
【請求項２】
請求項１に記載の印刷装置において、
前記カバー部は、前記媒体支持部が前記開口部の内部に進入したときに該開口部を覆う第１状態と、該第１状態から退避した第２状態と、に状態変更可能であることを特徴とする印刷装置。
【請求項３】
請求項２に記載の印刷装置において、
前記カバー部は、回動することで前記第１状態と前記第２状態とに状態変更可能であることを特徴とする印刷装置。
【請求項４】
請求項２に記載の印刷装置において、
前記カバー部は、スライドすることで前記第１状態と前記第２状態とに状態変更可能であることを特徴とする印刷装置。
【請求項５】
請求項２から４のいずれか１項に記載の印刷装置において、
前記カバー部は、着脱可能であり、装着されることで前記第１状態となり、外されることで前記第２状態となることを特徴とする印刷装置。
【請求項６】
請求項１から５のいずれか１項に記載の印刷装置において、
前記媒体支持部を装着して前記移動方向に移動可能なベース部を備え、
前記カバー部は、前記ベース部の前記一方側に設けられることを特徴とする印刷装置。
【請求項７】
請求項１から５のいずれか１項に記載の印刷装置において、
前記カバー部は、前記筐体部に設けられることを特徴とする印刷装置。
【請求項８】
媒体を支持し移動方向に移動可能な媒体支持部と、媒体に画像を印刷可能な印刷部と、前記印刷部を収容し前記移動方向における一方側に前記媒体支持部が進退可能な開口部を有する筐体部と、前記開口部を覆うことが可能なカバー部と、を備えた印刷装置における前記媒体支持部の移動方法であって、
前記媒体支持部を前記開口部の内部に進入させたときに前記カバー部で該開口部を覆うことを特徴とする媒体支持部の移動方法。
【発明の詳細な説明】
【技術分野】
【０００１】
本発明は、印刷装置及び媒体支持部の移動方法に関する。
【背景技術】
【０００２】
従来から、様々な印刷装置が使用されている。このような印刷装置のうち、媒体を支持して筐体部に設けられた開口部を進退可能な媒体支持部を備える印刷装置がある。  
例えば、特許文献１には、媒体支持部としてのセットトレイが装置本体の内部（筐体部の内側）と外部（筐体部の外側）とを移動可能な構成が開示されている。
【先行技術文献】
【特許文献】
【０００３】
【特許文献１】特開２０１３−２２１２２９号公報
【発明の概要】
【発明が解決しようとする課題】
【０００４】
しかしながら、特許文献１で開示されるような、開口部を進退可能な媒体支持部を備える従来の印刷装置においては、開口部が覆われる構成となっていないので、筐体部の外側から筐体部の内側に異物が侵入する虞があった。
【０００５】
そこで、本発明の目的は、筐体部の内側に異物が侵入することを抑制することを目的にする。
【課題を解決するための手段】
【０００６】
上記課題を解決するための本発明の第１の態様の印刷装置は、媒体を支持し、移動方向に移動可能な媒体支持部と、媒体に画像を印刷可能な印刷部と、前記印刷部を収容し、前記移動方向における一方側に前記媒体支持部が進退可能な開口部を有する筐体部と、前記開口部を覆うことが可能なカバー部と、を備え、前記カバー部は、前記媒体支持部が前記開口部の内部に進入したときに該開口部を覆うことを特徴とする。
【０００７】
本態様によれば、カバー部は、媒体支持部が開口部の内部に進入したときに該開口部を覆う。このため、媒体支持部が開口部の内部に進入することに伴って、筐体部の内側に異物が侵入することを抑制できる。  
なお、「開口部を覆う」とは、筐体部の内側に異物が侵入することを抑制できる程度に覆われていればよいことを意味し、厳密に隙間なくカバー部が開口部を覆うことまでは要さない意味である。  
また、「移動方向における一方側に前記媒体支持部が進退可能な開口部を有する」とは、少なくとも移動方向における一方側に開口部を有するという意味であり、移動方向における一方側にのみ開口部を有する場合と、移動方向における両側に開口部を有する場合の両方を含む意味である。
【０００８】
本発明の第２の態様の印刷装置は、前記第１の態様において、前記カバー部は、前記媒体支持部が前記開口部の内部に進入したときに該開口部を覆う第１状態と、該第１状態から退避した第２状態と、に状態変更可能であることを特徴とする。
【０００９】
本態様によれば、カバー部は、媒体支持部が開口部の内部に進入したときに該開口部を覆う第１状態と、該第１状態から退避した第２状態と、に状態変更可能である。このため、媒体をセットする際に第２状態とすることで、カバー部が邪魔になり作業性が低下することを抑制することができる。  
なお、「状態変更可能」な構成に特に限定はない。例えば、ユーザーが手動で第１状態と第２状態とに状態変更可能な構成、モーターなどの駆動力により自動で状態変更可能な構成、媒体支持部の移動に伴って嵌合するギヤなどを該媒体支持部の移動に伴って機械的に状態変更可能な構成、などを採用することができる。  
また、「第１状態から退避した第２状態」とは、開口部を覆うことが可能な位置である第１状態に対して、開口部を覆うことを要しない位置（開口部に対して第１状態よりも退避した位置）である第２状態に状態変更可能であるという意味である。
【００１０】
本発明の第３の態様の印刷装置は、前記第２の態様において、前記カバー部は、回動することで前記第１状態と前記第２状態とに状態変更可能であることを特徴とする。
【００１１】
本態様によれば、カバー部は、回動することで前記第１状態と前記第２状態とに状態変更可能である。このため、カバー部を回動させるという簡単な構成で第１状態と第２状態とに状態変更できる。
【００１２】
本発明の第４の態様の印刷装置は、前記第２の態様において、前記カバー部は、スライドすることで前記第１状態と前記第２状態とに状態変更可能であることを特徴とする。
【００１３】
本態様によれば、カバー部は、スライドすることで第１状態と第２状態とに状態変更可能である。このため、カバー部を第１状態と第２状態とで状態変更する際、直線的な移動で速やかに状態変更できる。
【００１４】
本発明の第５の態様の印刷装置は、前記第２から第４のいずれか１つの態様において、前記カバー部は、着脱可能であり、装着されることで前記第１状態となり、外されることで前記第２状態となることを特徴とする。
【００１５】
本態様によれば、カバー部は着脱可能である。このため、媒体をセットする際に第２状態とする（カバー部を印刷装置から取り外す）ことで、カバー部が邪魔になり作業性が低下することを特に効果的に抑制することができる。
【００１６】
本発明の第６の態様の印刷装置は、前記第１から第５のいずれか１つの態様において、前記媒体支持部を装着して前記移動方向に移動可能なベース部を備え、前記カバー部は、前記ベース部の前記一方側に設けられることを特徴とする。
【００１７】
本態様によれば、カバー部は、媒体支持部を装着して移動方向に移動可能なベース部の一方側に設けられる。このため、媒体支持部の移動とカバー部による開口部のカバーを好適に連動することができ、筐体部の内側に異物が侵入することを特に効果的に抑制できる。
【００１８】
本発明の第７の態様の印刷装置は、前記第１から第５のいずれか１つの態様において、前記カバー部は、前記筐体部に設けられることを特徴とする。
【００１９】
本態様によれば、カバー部は筐体部に設けられる。このため、好適に筐体部の開口部を覆うことができる。
【００２０】
本発明の第８の態様の媒体支持部の移動方法は、媒体を支持し移動方向に移動可能な媒体支持部と、媒体に画像を印刷可能な印刷部と、前記印刷部を収容し前記移動方向における一方側に前記媒体支持部が進退可能な開口部を有する筐体部と、前記開口部を覆うことが可能なカバー部と、を備えた印刷装置における前記媒体支持部の移動方法であって、前記媒体支持部を前記開口部の内部に進入させたときに前記カバー部で該開口部を覆うことを特徴とする。
【００２１】
本態様によれば、媒体支持部を開口部の内部に進入させたときにカバー部で該開口部を覆う。このため、媒体支持部が開口部の内部に進入することに伴って、筐体部の内側に異物が侵入することを抑制できる。
【図面の簡単な説明】
【００２２】
【図１】本発明の実施例１に係る印刷装置の概略斜視図。
【図２】本発明の実施例１に係る印刷装置の概略斜視図。
【図３】本発明の実施例１に係る印刷装置の概略正面図。
【図４】本発明の実施例１に係る印刷装置の概略側面図。
【図５】本発明の実施例２に係る印刷装置の概略断面斜視図。
【図６】本発明の実施例２に係る印刷装置の概略断面斜視図。
【図７】本発明の実施例１に係る印刷装置の要部の概略斜視図。
【図８】本発明の実施例１に係る印刷装置の要部の概略斜視図。
【図９】本発明の実施例１に係る印刷装置の要部の概略斜視図。
【図１０】本発明の実施例１に係る印刷装置の要部の移動状態を表す概略斜視図。
【図１１】本発明の実施例１に係る印刷装置のブロック図。
【図１２】本発明の実施例２に係る印刷装置の要部の移動状態を表す概略斜視図。
【図１３】本発明の実施例２に係る印刷装置の要部の概略斜視図。
【図１４】本発明の実施例２に係る印刷装置の要部の概略斜視図。
【図１５】本発明の実施例２に係る印刷装置の要部の概略斜視図。
【図１６】本発明の実施例２に係る印刷装置の要部の概略斜視図。
【図１７】本発明の実施例３に係る印刷装置の要部の概略斜視図。
【図１８】本発明の実施例４に係る印刷装置の要部の概略斜視図。
【発明を実施するための形態】
【００２３】
［実施例１］（図１から図１１）  
以下に、本発明の実施例１に係る印刷装置１について、添付図面を参照して詳細に説明する。  
最初に、本実施例の印刷装置１の概要について説明する。  
図１及び図２は本実施例に係る印刷装置１の概略斜視図であり、このうち図１は本実施例の印刷装置１の媒体（被印刷媒体）支持部としてのトレイ４が印刷開始位置にある状態、図２はトレイ４が媒体のセット位置にある状態を表している。  
また、図３は本実施例の印刷装置１の概略正面図であり、図４は本実施例の印刷装置１の概略側面図である。  
また、図５及び図６は本実施例の印刷装置１の概略断面斜視図であり、このうち、図５は図１に対応し、図６は図２に対応している。
【００２４】
本実施例の印刷装置１は、媒体をトレイ４の支持面８で支持した状態で移動方向Ａに移動する媒体支持ユニット２を備えている。媒体支持ユニット２は、媒体支持部であるトレイ４を有している。印刷装置１は、ベース部３０を移動方向Ａに移動させることにより、トレイ４に支持された媒体を、移動方向Ａに搬送する媒体搬送部３を備えている。移動方向Ａは、方向Ａ１と、方向Ａ１と反対方向の方向Ａ２と、を含む方向である。また、トレイ４はベース部３０に固定されたステージ５に載置されている。トレイ４はステージ５と共に、回転レバー９を回転させることにより、ベース部３０に対して高さ方向Ｃに移動する。なお、図４で表されるように、回転レバー９は、ベース部３０のアーム部に設けられている。また、ベース部３０には、詳細は後述するカバー部３１が設けられており、開口部３９を覆うことが可能に構成されている。また、媒体としては、テキスタイル（織物、布等）、紙、塩化ビニル樹脂など、種々の素材のものを用いることができる。  
なお、図１及び図５で表されるように、本実施例の印刷装置１は、トレイ４が印刷開始位置にある状態（トレイ４が後述するキャリッジ６の往復移動範囲と対向する状態）において、ちょうど開口部３９を覆うよう構成されている。このような構成とすることで、開口部３９がカバーされるタイミングと印刷を開始するタイミングとを合わせている（タイムラグを低減している）。
【００２５】
また、印刷装置１の本体内部（筐体部３２の内側）にはインクを吐出して媒体に印刷することが可能な印刷ヘッド７が備えられている。そして、本実施例の印刷装置１は、印刷ヘッド７が設けられたキャリッジ６を移動方向Ａと交差する走査方向Ｂに往復移動させることで、印刷ヘッド７を走査方向Ｂに往復移動させながら、印刷ヘッド７からトレイ４に支持された媒体にインクを吐出させて所望の画像を形成する。本実施例において、印刷ヘッド７を備えたキャリッジ６は、走査方向Ｂに移動可能であり、媒体に画像を印刷可能な印刷部に相当する。  
なお、本実施例の印刷装置１は、図１及び図２中の手前側（左下方向）がトレイ４への媒体のセット位置（図２に対応）である。そして、図１及び図２中の奥側（右上方向）の印刷開始位置（図１に対応）まで移動方向Ａのうちの方向Ａ１に媒体をセットしたトレイ４を移動した後、移動方向Ａのうちの方向Ａ２にトレイ４を移動しながら印刷する。
【００２６】
また、本実施例の印刷装置１は、図１及び図４で表されるように、媒体と印刷ヘッド７との間隔を検出可能なセンサー３３を備えており、トレイ４に支持される媒体と印刷ヘッド７との間隔の異常（媒体と印刷ヘッド７との間隔が狭すぎること）の有無を検出することができる構成になっている。  
ここで、本実施例の印刷装置１は、リニアスケール３８（図１１参照）によりトレイ４（ベース部３０）の移動方向Ａにおける位置が検出できるよう構成されており、カバー部３１がセンサー３３に検出されても媒体と印刷ヘッド７との間隔が異常であると誤認識しないよう構成されている。なお、媒体と印刷ヘッド７との間隔が異常であると誤認識しないよう構成されていることが当然望ましいが、本実施例のような構成に限定されず、センサー３３の設けられる位置などにより、該誤認識を抑制できる構成としてもよい。
【００２７】
次に、本実施例の印刷装置１における要部であるカバー部３１について説明する。  
図７から図９は、本実施例の要部であるカバー部３１とベース部３０との位置関係を表す概略斜視図である。本実施例のカバー部３１は、ベース部３０に対して高さ方向Ｃにスライド移動可能な構成となっている。そして、図７はカバー部３１がベース部３０に対して一番下にある状態、図９はカバー部３１がベース部３０に対して一番上にある状態、図８は図７の状態と図９の状態との中間の状態、を表している。  
また、図１０は、本実施例のカバー部３１の移動状態を表す印刷装置１の概略斜視図である。
【００２８】
図７から図９で表されるように、ベース部３０の移動方向Ａにおける一方側（方向Ａ２側）にはガイド１５が設けられており、カバー部３１はガイド１５により挟まれた状態でベース部３０に保持されている。また、ベース部３０の下面側にはカバー部モーター１４が固定されており、回転軸１８を介してピニオン１６を回転させることが可能に構成されている。また、カバー部３１には、ベース部３０に設けられた該ピニオン１６に対応して、ラック１７が設けられている。このような構成により、本実施例の印刷装置１は、図７の状態から図８の状態を介して図９の状態まで、或いは、図９の状態から図８の状態を介して図７の状態まで、カバー部３１をベース部３０に対して高さ方向Ｃにスライド移動可能な構成となっている。
【００２９】
図１０は、トレイ４が媒体のセット位置に在る状態である図１０Ａ（図２、図６及び図７に対応）から、トレイ４が印刷開始位置に在る状態である図１０Ｃ（図１、図５及び図９に対応）まで、トレイ４が移動方向Ａに移動する際におけるカバー部３１の移動状態を表している。  
図１０Ａで表されるように、トレイ４が媒体のセット位置に在る状態においては、カバー部３１はベース部３０に対して一番下にあるので、カバー部３１が邪魔になることなくユーザーはトレイ４に媒体をセットできる。また、トレイ４に媒体がセットされ、印刷を行う際には、図１０Ｂで表されるように、カバー部３１はベース部３０に対して一番上に移動する。そして、図１０Ｃで表されるように、そのまま印刷開始位置までトレイ４は移動して印刷が開始される。  
なお、本実施例の印刷装置１では、制御部１９（図１１参照）が印刷データを入力することに伴いカバー部３１をベース部３０に対して一番上に移動してから印刷開始位置までトレイ４を移動する。しかしながら、このような構成に限定されず、印刷データを入力することに伴いカバー部３１をベース部３０に対して上方に徐々に移動させながら印刷開始位置までトレイ４を移動する構成としてもよい。すなわち、印刷開始位置にトレイ４が移動したとき（キャリッジ６が走査方向Ｂに往復移動する準備ができたとき）に開口部３９をベース部３０が覆っていればよい。異物が開口部３９から筐体部３２の内側に進入し、該異物がキャリッジ６と接触するということを抑制できるためである。  
ここで、カバー部３１の材質には特に限定が無いが、例えば、透明の材料で構成することで、カバー部３１で開口部３９が覆われた状態であっても印刷装置１の本体内部（例えば印刷状態など）を確認することが可能になる。一方、非透明の材料で構成することで、作業者等がカバー部３１を見落としてカバー部３１に接触して、印刷装置１を振動させてしまう（印刷品質を低下させる）ことなどを抑制することが可能になる。
【００３０】
次に、本実施例の印刷装置１における電気的な構成について説明する。  
図１１は、本実施例の印刷装置１のブロック図である。  
制御部１９には、印刷装置１の全体の制御を司るＣＰＵ２０が設けられている。ＣＰＵ２０は、システムバス２１を介して、ＣＰＵ２０が実行する各種制御プログラム等を格納したＲＯＭ２２と、データを一時的に格納可能なＲＡＭ２３と、に接続されている。
【００３１】
また、ＣＰＵ２０は、システムバス２１を介して、印刷ヘッド７を駆動する（インクを吐出させる）ためのヘッド駆動部２４と接続されている。  
また、ＣＰＵ２０は、システムバス２１を介して、モーター駆動部２５と接続されている。そして、モーター駆動部２５は、キャリッジモーター２９、カバー部モーター１４、媒体を搬送する（すなわち、媒体支持ユニット２を移動する）ために媒体搬送部３に設けられた搬送モーター２６、と接続されている。  
さらに、ＣＰＵ２０は、システムバス２１を介して、入出力部２７と接続されている。そして、入出力部２７は、リニアスケール３８、媒体と印刷ヘッド７との間隔を検出可能なセンサー３３、印刷データ等のデータ及び信号の送受信を行うためのＰＣ２８、と接続されている。
【００３２】
上記のように、本実施例の印刷装置１は、媒体を支持し、移動方向Ａに移動可能なトレイ４と、媒体に画像を印刷可能なキャリッジ６と、キャリッジ６を収容し、移動方向Ａにおける一方側（方向Ａ２側）にトレイ４が進退可能な開口部３９を有する筐体部３２と、開口部３９覆うことが可能なカバー部３１と、を備えている。そして、カバー部３１は、トレイ４が開口部３９の内部（筐体部３２の内側）に進入したときに該開口部３９を覆うことが可能な構成になっている。このため、トレイ４が開口部３９の内部に進入することに伴って、筐体部３２の内側に異物が侵入することを抑制できる構成になっている。  
なお、「開口部３９を覆う」とは、筐体部３２の内側に異物が侵入することを抑制できる程度に覆われていればよいことを意味し、厳密に隙間なくカバー部３１が開口部３９を覆うことまでは要さない（多少の隙間はあってもよくカバー部３１に孔などが形成されていてもよい）意味である。  
また、「移動方向Ａにおける一方側（方向Ａ２側）にトレイ４が進退可能な開口部３９を有する」とは、少なくとも移動方向Ａにおける一方側に開口部３９を有するという意味であり、移動方向Ａにおける一方側にのみ（例えば方向Ａ２側のみ）開口部３９を有する場合と、移動方向Ａにおける両側（方向Ａ１側及びＡ２側の両方）に開口部３９を有する場合の両方を含む意味である。
【００３３】
また、本実施例について別の表現をすると、媒体支持部の移動方法であるとも言える。具体的には、媒体を支持し移動方向Ａに移動可能な媒体支持部（トレイ４）と、媒体に画像を印刷可能なキャリッジ６と、キャリッジ６を収容し移動方向Ａにおける一方側（方向Ａ２側）にトレイ４が進退可能な開口部３９を有する筐体部３２と、開口部３９を覆うことが可能なカバー部３１と、を備えた印刷装置１における媒体支持部の移動方法である。そして、トレイ４を開口部３９の内部に進入させたときにカバー部３１で該開口部３９を覆う。このような媒体支持部の移動方法により、トレイ４が開口部３９の内部に進入することに伴って、筐体部３２の内側に異物が侵入することを抑制できる。
【００３４】
また、本実施例のカバー部３１は、トレイ４が開口部３９の内部に進入したときに該開口部３９を覆う第１状態（図１、図５及び図１０Ｃで表される状態：ベース部３０に対して上側に位置する状態）と、該第１状態から退避した第２状態（図２、図６及び図１０Ａで表される状態：ベース部３０に対して下側に位置する状態）と、に状態変更可能であると表現することもできる。媒体をセットする際に第２状態とすることで、カバー部３１が邪魔になり作業性が低下することを抑制することができる。  
なお、「状態変更可能」な構成に特に限定はない。例えば、ユーザーが手動で第１状態と第２状態とに状態変更可能な構成、モーターなどの駆動力により自動で状態変更可能な構成、媒体支持部の移動に伴って嵌合するギヤなどを該媒体支持部の移動に伴って機械的に状態変更可能な構成、などを採用することができる。ただし、本実施例のように、自動で状態変更可能な構成にすることで、ユーザーがカバー部３１を移動させることを忘れることを抑制できる。  
また、「第１状態から退避した第２状態」とは、開口部３９を覆うことが可能な位置である第１状態に対して、開口部３９を覆うことを要しない位置（開口部３９に対して第１状態よりも退避した位置）である第２状態に状態変更可能であるという意味である。
【００３５】
また、上記のように、本実施例のカバー部３１は、カバー部モーター１４の駆動力により高さ方向Ｃにスライドすることで第１状態と第２状態とに状態変更可能である。このため、カバー部を第１状態と第２状態とで状態変更する際、直線的な移動で速やかに状態変更できる。
【００３６】
また、上記のように、本実施例の印刷装置１は、ステージ５等を介してトレイ４を装着して移動方向Ａに移動可能なベース部３０を備え、カバー部３１は、ベース部３０の一方側（方向Ａ２側）に設けられている。このため、トレイ４の移動とカバー部３１による開口部３９のカバーを好適に連動することができ、筐体部３２の内側に異物が侵入することを特に効果的に抑制できる構成になっている。
【００３７】
［実施例２］（図１２から図１６）  
次に、本発明の実施例２に係る印刷装置１について説明する。  
図１２は、本実施例の印刷装置１におけるカバー部３１の移動状態を表す印刷装置１の概略斜視図である。  
また、図１３から図１６は、本実施例の要部であるカバー部３１とベース部３０との位置関係を表す概略斜視図である。本実施例のカバー部３１は、ベース部３０の一方側（方向Ａ２側）の端部に設けられベース部３０に対して走査方向Ｂにのびる回動軸３５を基準に回動方向Ｅに回動して移動可能な構成となっている。そして、図１３はカバー部３１の回動軸３５と反対側がベース部３０に対して一番下にある状態（第２状態）、図１４及び図１５はカバー部３１がベース部３０に対して水平にある状態、図１６はカバー部３１の回動軸３５と反対側がベース部３０に対して上方に移動しつつある状態、を表している。  
なお、図１２Ａは図１３に対応し、図１２Ｂは図１４に対応し、図１２Ｃは図１６に対応し、図１２Ｄ及び図１２Ｅはカバー部３１の回動軸３５と反対側がベース部３０に対して一番上にある状態（第１状態）を表している。
【００３８】
図１２Ａ及び図１３は、トレイ４が媒体のセット位置に在る状態を表しており、この状態では、該両方の図で表されるように、回動軸３５と反対側がベース部３０に対して一番下に位置している（第２状態）。この状態からトレイ４を方向Ａ１側に移動させると、図１２Ｂ及び図１４で表されるように、媒体搬送部３の筐体部４０の上面にカバー部３１が接触することにより、カバー部３１がベース部３０に対して水平になる。
【００３９】
ここで、図１５で表されるように、本実施例の印刷装置１には、媒体搬送部３の筐体部４０の上面に段差部３６（第１段差３６ａ、第２段差３６ｂ、第３段差３６ｃ及び第４段差３６ｄ）が設けられたカム受け部３４が設けられ、回動軸３５には段差部３６に対応してカム部３７（第１カム３７ａ、第２カム３７ｂ、第３カム３７ｃ及び第４カム３７ｄ）が設けられている。  
そして、図１２Ｂ及び図１４で表される状態からトレイ４を方向Ａ１側に移動させると、第１段差３６ａと第１カム３７ａ、第２段差３６ｂと第２カム３７ｂ、第３段差３６ｃと第３カム３７ｃ、第４段差３６ｄと第４カム３７ｄと順に接触していく。そして、第１段差３６ａと第１カム３７ａ、第２段差３６ｂと第２カム３７ｂ、第３段差３６ｃと第３カム３７ｃ、第４段差３６ｄと第４カム３７ｄと順に接触していくにつれて、図１２Ｃ、図１２Ｄ及び図１６で表されるように、カバー部３１の回動軸３５と反対側がベース部３０（媒体搬送部３の筐体部４０の上面）に対して徐々に起き上がっていく。
【００４０】
別の表現をすると、本実施例のカバー部３１は、回動することで第１状態（図１２Ｅで表される状態）と第２状態（図１２Ａ及び図１３で表される状態）とに状態変更可能である。このため、カバー部３１を回動させるという簡単な構成で第１状態と第２状態とに状態変更可能にしている。
【００４１】
［実施例３］（図１７）  
次に、本発明の実施例３に係る印刷装置１について説明する。  
図１７は、本実施例の印刷装置１におけるカバー部３１の移動状態を表す印刷装置１の概略斜視図である。  
実施例１及び２の印刷装置１は、トレイ４の移動方向Ａの移動に伴い、カバー部３１が自動でベース部３０に対して移動する構成であった。一方、本実施例の印刷装置１は、ユーザーが手動でカバー部３１をベース部３０に対して移動可能な構成である。
【００４２】
本実施例のベース部３０には突起部１１が形成されており、カバー部３１には該突起部１１に対応する溝部１０が形成されている。ユーザーは、該溝部１０の形成範囲において該突起部１１に対して高さ方向Ｃにカバー部３１を移動させることで、カバー部３１をベース部３０に対して移動させることができる。ここでは、カバー部３１がベース部３０に対してスライドする構成である。そして、溝部１０には、弾性体で形成される引掛け部１２が上側及び下側に構成されており、該引掛け部１２に突起部１１を引掛けることにより、カバー部３１をベース部３０に対して固定可能な構成になっている。  
また、印刷開始時にユーザーが第２状態（カバー部３１をベース部３０に対して下側に移動させた状態）から第１状態（カバー部３１をベース部３０に対して上側に移動させた状態）にしたことを忘れないように、第１状態にする前に制御部１９が印刷データを入力した場合には、アラートを発する（警告音を鳴らす、ＰＣ２８のモニターなどに警告文字を表示する、など）構成としてもよい。
【００４３】
［実施例４］（図１８）  
次に、本発明の実施例４に係る印刷装置１について説明する。  
図１８は、本実施例の印刷装置１におけるカバー部３１の移動状態を表す印刷装置１の概略斜視図である。  
本実施例の印刷装置１も、実施例３の印刷装置１と同様、ユーザーが手動でカバー部３１をベース部３０に対して移動可能な構成である。
【００４４】
本実施例のベース部３０には、カバー部３１を挟んで保持する柱状部１３が設けられている。柱状部１３がカバー部３１を適度な挟持力で挟むことで、ユーザーは、ベース部３０に対してカバー部３１を任意の位置で保持させることができるとともに、ベース部３０からカバー部３１を取り外すことも可能である。
【００４５】
別の表現をすると、本実施例の印刷装置１は、カバー部３１は着脱可能であり、カバー部３１が装着されることで第１状態にすることができ、外されることで第２状態にすることができる。このため、媒体をセットする際に第２状態とする（カバー部３１を印刷装置１から取り外す）ことで、カバー部３１が邪魔になり作業性が低下することを特に効果的に抑制することができる。ただし、本実施例の印刷装置１では、ベース部３０の上方にのびる柱状部１３を設けているが、例えば実施例３の印刷装置１のように、ベース部３０の上方には何も構成されない形状とするとさらに好ましい。
【００４６】
なお、本発明は上記実施例に限定されることなく、特許請求の範囲に記載した発明の範囲内で種々の変形が可能であり、それらも本発明の範囲内に含まれることは言うまでもない。  
例えば、カバー部３１は、筐体部３２に設けられていてもよい。このような構成であれば、好適に筐体部３２の開口部３９を覆うことができる。
【符号の説明】
【００４７】
１…印刷装置、２…媒体支持ユニット、３…媒体搬送部、４…トレイ（媒体支持部）、
５…ステージ、６…キャリッジ（印刷部）、７…印刷ヘッド、８…支持面、
９…回転レバー、１０…溝部、１１…突起部、１２…引掛け部、１３…柱状部、
１４…カバー部モーター、１５…ガイド、１６…ピニオン、１７…ラック、
１８…回転軸、１９…制御部、２０…ＣＰＵ、２１…システムバス、２２…ＲＯＭ、
２３…ＲＡＭ、２４…ヘッド駆動部、２５…モーター駆動部、２６…搬送モーター、
２７…入出力部、２８…ＰＣ、２９…キャリッジモーター、３０…ベース部、
３１…カバー部、３２…筐体部、３３  センサー、３４…カム受け部、３５…回転軸、
３６…段差部、３６ａ…第１段差、３６ｂ…第２段差、３６ｃ…第３段差、
３６ｄ…第４段差、３７…カム部３７、３７ａ…第１カム、３７ｂ…第２カム、
３７ｃ…第３カム、３７ｄ…第４カム、３８…リニアスケール、３９…開口部、
４０…媒体搬送部３の筐体部、
【図１】
2017104997.tif 000003
【図２】
2017104997.tif 000004
【図３】
2017104997.tif 000005
【図４】
2017104997.tif 000006
【図５】
2017104997.tif 000007
【図６】
2017104997.tif 000008
【図７】
2017104997.tif 000009
【図８】
2017104997.tif 000010
【図９】
2017104997.tif 000011
【図１０】
2017104997.tif 000012
【図１１】
2017104997.tif 000013
【図１２】
2017104997.tif 000014
【図１３】
2017104997.tif 000015
【図１４】
2017104997.tif 000016
【図１５】
2017104997.tif 000017
【図１６】
2017104997.tif 000018
【図１７】
2017104997.tif 000019
【図１８】
2017104997.tif 000020